(57)【要約】【課題】外反足の矯正に有効でありかつ外反足に伴う障害の発生を抑制できる優れた着用感の履物を提供する。【解決手段】アウトソール２０とミッドソール２２とクッション性を有するインナーソール２１とを上下に積層して底部２が形成されている。ミッドソール２２は、クッション性を有するソール本体２３と、ソール本体２３の踵部の下面に設けられる傾斜板２４とから成る。傾斜板２４は上面に外側へ低く傾斜する傾斜面２４ａが、ソール本体２３は踵部の下面に傾斜板２４の傾斜面２４ａに沿って接合される傾斜面２３ａが、それぞれ形成されている。インナーソール２１の踵部の上面には、足の踵を支持する凹部２１ａが形成され、その凹部２１ａに、インナーソール２１より柔軟な低反発弾性体より成る踵支持板２５が装着されている。【選択図】図４
2006198007.tif 000002
【特許請求の範囲】
【請求項１】
アウトソールとミッドソールとクッション性を有するインナーソールとを上下に積層して底部が形成されている履物において、前記ミッドソールは、クッション性を有するソール本体と、ソール本体の踵部の下面に設けられる傾斜板とから成り、前記傾斜板は上面に外側へ低く傾斜する傾斜面が、前記ソール本体は踵部の下面に前記傾斜板の傾斜面に沿って接合される傾斜面が、それぞれ形成されており、前記インナーソールの踵部の上面には、足の踵を支持する凹部が形成されて成る履物。
【請求項２】
前記ソール本体の傾斜面は、水平面に対する傾斜角度が２〜９度に設定されている請求項１に記載された履物。
【請求項３】
前記インナーソールの凹部には、インナーソールより柔軟な低反発弾性体より成る踵支持板が装着されている請求項１に記載された履物。
【請求項４】
前記底部は、前足部に対して踵部がヒールアップされるとともに、インナーソールの前足部の上面には、足の中足骨の骨頭部が当たる位置に、面状に盛り上がる凸部が形成されている請求項１に記載された履物。
【請求項５】
アウトソールとミッドソールとインナーソールとを上下に積層して底部が形成されている履物において、前記インナーソールは、クッション性を有するソール本体と、ソール本体の踵部の下面に設けられる傾斜板とから成り、前記傾斜板は上面に外側へ低く傾斜する傾斜面が、前記ソール本体は踵部の下面に前記傾斜板の傾斜面に沿って接合される傾斜面が、それぞれ形成されており、前記インナーソールの踵部の上面には、足の踵を支持する凹部が形成されて成る履物。
【発明の詳細な説明】
【技術分野】
【０００１】
この発明は、靴やサンダルなどの履物に関し、特に、外反足の矯正に有効であり、外反足に伴う障害の発生を抑制することが可能な履物に関する。
【背景技術】
【０００２】
人の歩行や立位において絶対的な条件となるのが、図８に示すように、足の距骨下関節ａが真っ直ぐの状態となるニュートラルポジションである。なお、同図は、右足の骨格部分を後方より見た図であり、ｂが距骨、ｃが踵骨である。このニュートラルポジションを維持できない理由として、距骨下関節の外反や内反、さらには、横足根関節の外反、前足部外反、前足部内反などがある。
図９および図１０は、外反のある右足の骨格部分を示している。このような外反があると、歩行中にオーバープロネーション（超外反運動）を引き起こし、このオーバープロネーションによって外反母趾などの障害を発生させるおそれがある。
【０００３】
外反母趾とは、足の親指が中足指関節で外方に向いて突出した状態のことである。この突出部分が靴などで刺激されると、炎症や痛みを引き起こすため、これを防止するのに、靴のウイズ回りを広げたり、前記の突出部分に柔らかい素材を用いたりして足が痛くないように工夫した履物が提案されている。しかし、この種の履物は、単なる対症療法として用いられるに過ぎず、オーバープロネーションを引き起こすのを防止して外反母趾になるのを抑制する働きはない。
【０００４】
先般、オーバープロネーションの発生を抑えて外反母趾になりにくくする靴が提案された（特許文献１参照）。この靴は、外甲被と靴底との間で足の第５中足骨骨底と踵骨最後部との中間位置、および内甲被と靴底との間で踵骨載距突起位置とに、それぞれ断面Ｔ字状またはＬ字状のスタビライザーを設置したものである。この靴を履くと、スタビライザーによって足が両側方から挟まれるもので、外甲側のスタビライザーが足の外側へのぶれを防ぎ、内甲側のスタビライザーがオーバープロネーションの発生を防止して、外反母趾になりにくくする。
【０００５】
【特許文献１】特開平９−２１５５０１号公報
【発明の開示】
【発明が解決しようとする課題】
【０００６】
しかしながら、上記した構成の靴は、足がスタビライザーによりしっかりと挟まれて固定されるために、圧迫感があり、快適な着用感が得られないという問題がある。
【０００７】
この発明は、上記した問題に着目してなされたもので、外反足の矯正に有効でありかつ外反足に伴う障害の発生を抑制できる優れた着用感の履物を提供することを目的とする。
【課題を解決するための手段】
【０００８】
この発明による履物は、アウトソールとミッドソールとクッション性を有するインナーソールとを上下に積層して底部が形成されたものである。前記ミッドソールは、クッション性を有するソール本体と、ソール本体の踵部の下面に設けられる傾斜板とから成る。前記傾斜板は上面に外側へ低く傾斜する傾斜面が、前記ソール本体は踵部の下面に前記傾斜板の傾斜面に沿って接合される傾斜面が、それぞれ形成されている。前記インナーソールの踵部の上面には、足の踵を支持する凹部が形成されている。
【０００９】
この発明の上記した構成において、「外側へ低く傾斜する傾斜面」の「外側」とは、両足を揃えて立ったとき、左足についていえば右足と反対側を、右足についていえば左足と反対側を、それぞれ意味している。したがって、左足側の履物の傾斜板は、右足側が高く右足と反対側が低い傾斜面を有し、一方、右足側の履物の傾斜板は、左足側が高く左足と反対側が低い傾斜面を有する。因みに、左右の足が対向する側は上記の「外側」に対して「内側」である。
【００１０】
上記した構成の履物を履くと、足の踵はインナーソールの踵部の上面に形成された凹部に嵌って支持される。足の荷重はインナーソールおよびミッドソールのソール本体を圧縮変形させ、傾斜板の傾斜面に作用する。傾斜板の上面は外側へ低く傾斜する傾斜面になっているので、荷重に対する傾斜面からの抗力の外向きの水平分力が外反足を矯正する力として作用するとともに、オーバープロネーション（超外反運動）の発生を抑制する。なお、足はスタビライザーなどで挟持されていないから、圧迫感がない。
【００１１】
前記ソール本体の傾斜面は、好ましくは水平面に対する傾斜角度が２〜９度に設定され、さらに望ましくはほぼ７度に設定される。傾斜角度が２度より小さいと、外反足の矯正機能やオーバープロネーションの防止機能が十分でなく、また、９度より大きいと、履き心地の低下を招く。
【００１２】
好ましい実施態様においては、前記インナーソールの凹部にインナーソールより柔軟な低反発弾性材料より成る踵支持板が装着される。この実施態様によると、足の荷重により踵支持板が凹部内で踵の形状に沿って圧縮変形するもので、足の踵が凹部により安定状態で支持される。
【００１３】
また、この発明の好ましい実施態様においては、前記底部は、前足部に対して踵部がヒールアップされるとともに、インナーソールの前足部の上面には、足の中足骨の骨頭部が当たる位置に、面状に盛り上がる凸部が形成されている。ここで、底部をヒールアップしたのは外反足によるアキレス腱や腓腹筋などの下腿部の負担を取り除くためであるが、このヒールアップに伴う代償として発生する中足骨骨頭部の負担は前記凸部によって軽減される。
【００１４】
この発明による上記した構成は、ミッドソールに限らず、インナーソールにも適用可能である。その場合のインナーソールは、クッション性を有するソール本体と、ソール本体の踵部の下面に設けられる傾斜板とで構成される。前記傾斜板は上面に外側へ低く傾斜する傾斜面が、前記ソール本体は踵部の下面に前記傾斜板の傾斜面に沿って接合される傾斜面が、それぞれ形成される。前記インナーソールの踵部の上面には、足の踵を支持する凹部が形成される。
【００１５】
上記した構成の履物を履くと、足の踵はインナーソールの踵部の上面に形成された凹部に嵌って支持される。足の荷重はインナーソールのソール本体を圧縮変形させ、傾斜板の傾斜面に作用する。傾斜板の上面は外側へ低く傾斜する傾斜面になっているので、荷重に対する傾斜面からの抗力の外向きの水平分力が外反足を矯正する力として作用するとともに、オーバープロネーション（超外反運動）の発生を抑制する。
【発明の効果】
【００１６】
この発明によると、外側へ低く傾斜する傾斜面を有する傾斜板によって、足の踵に外反足を矯正する力を作用させるとともに、オーバープロネーションの発生を抑制するので、外反足の矯正に有効であり、外反足に伴う障害の発生を抑制できる。また、従来例のように、スタビライザーによって足が挟持されていないので、圧迫感がなく、優れた着用感が得られる。
【発明を実施するための最良の形態】
【００１７】
図１および図２は、この発明の一実施例であるサンダル１の外観を示す。なお、図示のサンダル１は右足用であるが、左足用についても同様の構成であり、ここでは図示並びに説明を省略する。また、この発明は、サンダルに限らず、靴その他の履物にも適用することが可能である。
【００１８】
図示例のサンダル１は、足裏を支持する底部２と、足の甲を固定する甲被部３とから成る。前記甲被部３は、足の甲の内側から上部にかけて覆う内被部３Ａと、足の甲の外側から上部にかけて覆う外被部３Ｂとで構成されている。前記内被部３Ａと外被部３Ｂとは前後二カ所で伸縮帯４，４を介して連結されており、これにより甲被部３が足の大きさに応じて拡縮するようになっている。各伸縮帯４の一端部は外被部３Ｂの先端に固着され、他端部は内被部３Ａの内部に形成された帯通し孔５を通して内被部３Ａの基端に固着されている。なお図１において、６は内被部３Ａに形成された通気のための開口部である。
【００１９】
前記外被部３Ｂの前部には甲被部３を固定するための固定ベルト７が取り付けられ、内被部３Ａの前部には前記固定ベルト７を通す環状の留め金具８が取付布１４の先端に取り付けられている。なお、取付布１４は内被部３Ａの表面に逢着されている。前記固定ベルト７の上面には基端部に面ファスナ９の雌部が、先端部に面ファスナ９の雄部が、それぞれ装着されている。固定ベルト７を留め金具８に通して折り返し、面ファスナ９の雄部と雌部とを噛み合わせて止着することで甲被部３の前部が固定される。
【００２０】
また、内被部３Ａおよび外被部３Ｂの後部には、先端に紐通し孔１０を有する帯状布１１がそれぞれ逢着されている。各帯状布１１の紐通し孔１０には甲被部３を固定するための紐１２が通され、この紐１２を結ぶことで甲被部３の後部が固定される。
【００２１】
さらに、内被部３Ａおよび外被部３Ｂの後端部には、踵保持用の保持ベルト１３の両端部が取り外し可能なように釦止めされている。この保持ベルト１３を足の踵の後面に引っ掛けることにより甲被部３からの足の抜けが防止される。
【００２２】
図３は、上記したサンダル１の底部２の構成を示している。
図示例の底部２は、アウトソール２０とミッドソール２２とインナーソール２１とを上下に積層して形成されている。
【００２３】
前記ミッドソール２２は、クッション性を有するソール本体２３と、このソール本体２３の踵部の下面に設けられる傾斜板２４とで構成されている。前記傾斜板２４は、ソール本体２３より硬いクッション材により形成され、ソール本体２３の踵部の下面に接着剤により接合されている。この実施例では、ソール本体２３と傾斜板２４とは硬さが異なるエチレン−酢酸ビニル共重合体（ＥＶＡ）のような多孔質樹脂を用いて形成されているが、ＥＶＡに限らず、他の弾性体を用いることも可能である。また、傾斜板２４は必ずしも弾性体である必要はない。
【００２４】
前記傾斜板２４の上面には、図４に示すように、外側へ低く傾斜する傾斜面２４ａが形成されており、一方、前記ソール本体２３の踵部の下面には前記傾斜板２４の傾斜面２４ａに沿う傾斜面２３ａが形成されている。傾斜板２４の傾斜面２４ａとソール本体２３の傾斜面２３ａとは重ねられ、両者は接着剤によって一体接合される。
【００２５】
前記傾斜板２４の傾斜面２４ａは水平面ｈに対する傾斜角度θが２〜９度に設定される。この実施例では前記傾斜角度θを傾斜板２４の全長にわたってほぼ７度に設定しているが、例えば図５に示すように、後部から前部にかけて傾斜角度が次第に小さくなるように、傾斜角度を変化させてもよい。なお、同図は傾斜板２４の前端部の断面を示しており、その傾斜角度θは後端部（図中点線で示す。）より小さくなっている。
さらに、この実施例の傾斜板２４は、その厚みを後端側が厚く、前端側にかけて次第に薄くなるように形成してある。このように構成すると、前端縁に生じる段差が小さくなり、また、前足部に対して踵部が高くなるように、底部２をヒールアップできる。
【００２６】
上記したミッドソール２２のソール本体２３の上面は凹面状になっており、この凹面上にインナーソール２１が接合支持されている。
前記インナーソール２１は、シリコンやポリプロピレンを原料にした低反発弾性体により形成され、表面全体がメッシュ地２６により被覆されている。このインナーソール２１の踵部の上面には、足の踵を支持する凹部２１ａが形成されている。この凹部２１ａは、図６に示すように、平面形状が略矩形状であり、全体が略同一深さに設定されている。凹部２１ａ内にはインナーソール２１より柔軟な踵支持板２５が嵌め込んで接合してあり、踵支持板２５の表面がソール本体２５の表面よりわずかに突出している。
なお、凹部２１ａには必ずしも踵支持板２５を装着する必要はないが、踵支持板２５を用いない場合は、凹部２１ａの開口縁や底周縁は曲面状に形成するのが望ましい。
【００２７】
前記踵支持板２５は、インナーソール２１と同じ低反発素材を用いて構成してもよいが、ポリウレタン樹脂を組成とした発泡体、すなわち、低反発弾性ウレタンフォームを用いて構成することもできる。この低反発弾性ウレタンフォームは、弾性と粘性とを併せ持つものであり、圧縮後ゆっくりとした復元性を有している。踵支持板２５上に足の踵を載せると、荷重により踵支持板２５が踵の形状に沿って凹部２１ａ内で圧縮変形するので、踵は凹部２１ａに嵌まって安定状態で支持される。
【００２８】
前記インナーソール２１の前足部の上面には、足の中足骨の骨頭部が当たる位置に、面状に盛り上がる凸部２１ｂが形成されている。この凸部２１ｂは、底部２のヒールアップに伴って発生する足の中足骨の骨頭部にかかる負担を軽減するために形成されている。
【００２９】
図７は、底部２を裏面側より見た図であり、アウトソール２０の構成を示している。
図示例のアウトソール２０は、ミッドソール２２の裏面に接合された複数枚（図示例では４枚）の接地板２７Ａ〜２７Ｄにより構成されている。各接地板２７Ａ〜２７Ｄは、例えばＳＢＲ（スチレン・ブタジエンゴム）などのゴム配合物またはエラストマー配合物により形成され、表面には滑り止めのための切り溝２８や溝状または突状の模様３０が形成されている。
前記ミッドソール２２のソール本体２３の裏面には、各接地板２７Ａ〜２７Ｄの境界部分に、底部２が屈曲し易いように、Ｖ字状の溝２９が斜め方向に形成されている。
【００３０】
上記した構成のサンダル１を履くとき、足を底部２と甲被部３と間に挿入して固定ベルト７、紐１２、および保持ベルト１３により固定する。足の踵はインナーソール２１の踵部に設けられた踵支持板２５上に支持される。踵支持板２５は足の荷重により踵の形状に沿って凹部２１ａ内で圧縮変形するので、踵は凹部２１ａ内に嵌まった状態で安定支持される。
【００３１】
足の荷重はインナーソール２１およびミッドソール２２のソール本体２３を圧縮変形させ、傾斜板２４の傾斜面２４ａに作用する。傾斜板２４の上面は外側へ低く傾斜する傾斜面２４ａになっているので、図４に示すように、荷重に対する傾斜面２４ａからの抗力Ｎの外向きの水平分力Ｎｘが外反足を矯正する力として作用するとともに、オーバープロネーション（超外反運動）の発生を抑制する。なお、足はスタビライザーなどで挟持されていないから、圧迫感がない。
【００３２】
また、前記底部２は、前足部に対して踵部がヒールアップされているので、外反足によるアキレス腱や腓腹筋などの下腿部の負担が取り除かれる。さらに、インナーソール２１の前足部の上面には、足の中足骨の骨頭部が当たる位置に、面状に盛り上がる凸部２１ｂが形成されているので、ヒールアップに伴う代償として発生する中足骨骨頭部の負担が軽減される。
【００３３】
なお、上記した実施例では、ミッドソール２２に傾斜板２４を設けているが、同様の構成の傾斜板２４をミッドソール２２に代えてインナーソール２２に設けることも可能であり、これによっても上記した実施例と同等の効果を得ることができる。
【図面の簡単な説明】
【００３４】
【図１】この発明にかかるサンダルの外観を示す斜視図である。
【図２】図１のサンダルを前方より見た斜視図である。
【図３】底部の縦断面図である。
【図４】図３のＡ−Ａ線に沿う底部の断面図である。
【図５】他の実施例における底部の断面図である。
【図６】図１のサンダルのインナーソールの平面図である。
【図７】図１のサンダルのアウトソールの底面図である。
【図８】足の踵の骨格を示す背面図である。
【図９】外反足の骨格を示す背面図である。
【図１０】外反足の骨格を示す背面図である。
【符号の説明】
【００３５】
２    底部
２０  アウトソール
２１  インナーソール
２１ａ  凹部
２１ｂ  凸部
２２  ミッドソール
２３  ソール本体
２４  傾斜板
２３ａ，２４ａ  傾斜面
２５  踵支持板
【図１】
2006198007.tif 000003
【図２】
2006198007.tif 000004
【図３】
2006198007.tif 000005
【図４】
2006198007.tif 000006
【図５】
2006198007.tif 000007
【図６】
2006198007.tif 000008
【図７】
2006198007.tif 000009
【図８】
2006198007.tif 000010
【図９】
2006198007.tif 000011
【図１０】
2006198007.tif 000012